(57)【要約】【目的】  既存の手すりが寿命がなくなると、既存の手すりは支柱も含めて完全に撤去し、更新していた。既存の支柱の撤去に伴う粉塵、騒音、廃棄物の発生しない手すりか改修システムを提供する。【構成】  既存の手すりを診断して支柱強度がもたないと判断されると、既存の手すりの完全撤去するしかないかを選択し、完全撤去しないと判断すると、ステップＳ４で本発明による改修を行なう。ステップＳ５で完全無撤去するかしないかを選択し、完全無撤去とすると実施例１又は２、完全無撤去としないとすると実施例３又は４となる。実施例１〜４の何れも既存の支柱は残し、新支柱を立てる。それ故、既存の支柱を除去する際に生ずる粉塵、騒音、廃棄物は発生しない。【選択図】      図２
2007138651.tif 000002
【特許請求の範囲】
【請求項１】
コンクリート支持部材に根本を埋設して固定された支柱を有する手すりの改修システムにおいて、
Ａ．支柱の強度が耐久的にもつかもたないかを判断する段階と、
ａ．支柱の強度が耐久的にもたないと判断された段階と、
ｂ．支柱の強度が耐久的にもたないと判断されると、既存手すりの完全無撤去とするかしないかを判断をする段階と、
ｃ．既存手すりを完全無撤去とすると決定する段階と、
ｄ．既存手すりを完全無撤去とすると決定された場合に既存手すりを撤去しないで、新手すりを設ける段階と、
を有し、見込方向において既存の手すりとは異なる位置に新手すりを立設し、新手すりの支柱と既存の手すりの笠木とを固定することを特徴とする手すりの改修システム。
【請求項２】
既存の笠木を蔽うと共に新くぐり抜け防止材を支持する新笠木を新支柱又は既存の笠木に固定したことを特徴とする請求項１に記載の手すりの改修システム。
【請求項３】
コンクリート支持部材に根本を埋設して固定された支柱を有する手すりの改修システムにおいて、
Ａ．支柱の強度が耐久的にもつかもたないかを判断する段階と、
ａ．支柱の強度が耐久的にもたないと判断された段階と、
ｂ．支柱の強度が耐久的にもたないと判断されると、既存手すりの完全無撤去とするかしないかを判断をする段階と、
ｃ．既存手すりを完全無撤去としないと決定する段階と、
ｄ．既存手すりを完全無撤去としないと決定された場合に既存手すりのくぐり抜け防止材を撤去して、新手すりを設ける段階と、
を有し、見込方向において既存の手すりとは異なる位置に新手すりを立設し、新手すりの支柱と既存の手すりの笠木とを固定することを特徴とする手すりの改修システム。
【請求項４】
コンクリート支持部材に根本を埋設して固定された支柱を有する手すりの改修システムにおいて、
Ａ．支柱の強度が耐久的にもつかもたないかを判断する段階と、
ａ．支柱の強度が耐久的にもたないと判断された段階と、
ｂ．支柱の強度が耐久的にもたないと判断されると、既存手すりの完全無撤去とするかしないかを判断をする段階と、
ｃ．既存手すりを完全無撤去しないと決定する段階と、
ｄ．既存手すりを完全無撤去しないと決定された場合に既存手すりの笠木、くぐり抜け防止材を撤去して支柱を残して新手すりを設ける段階と、
を有し、既存の手すりの支柱とは異なる位置に新支柱を立設し、新支柱で新笠木、新くぐり抜け防止材を支持することを特徴とする手すりの改修システム。
【請求項５】
既存の支柱を結ぶ線上に新手すりの支柱を立設し、新笠木と既存の支柱とを結合固定したことを特徴とする請求項４に記載の手すりの改修システム。
【請求項６】
コンクリート支持部材に根本を埋設して固定された支柱を有する手すりの改修システムにおいて、
Ａ．支柱の強度が耐久的にもつかもたないかを判断する段階と、
ａ．支柱の強度が耐久的にもつと判断された段階と、
ｂ．支柱の強度が耐久的にもつと判断されると、支柱以外の改修が必要かどうかが判断される段階と、
ｃ．支柱以外の改修が必要と判断される段階と、
ｄ．支柱以外を撤去する段階と、
ｅ．支柱にブラケットを設け、ブラケット及び新笠木で新くぐり抜け防止材を支持する工程と、
を有し、支柱にブラケットの根本を固定すると共にブラケットの先端にて新くぐり抜け防止材の下縁を支持し、新くぐり抜け防止材の上縁を支柱に固定した新笠木で支持することを特徴とする手すりの改修システム。
【請求項７】
コンクリート支持部材に根本を埋設して固定された支柱を有する手すりの改修システムにおいて、
Ａ．支柱の強度が耐久的にもつかもたないかを判断する段階と、
ａ．支柱の強度が耐久的にもつと判断された段階と、
ｂ．支柱の強度が耐久的にもつと判断されると、支柱以外の改修が必要かどうかが判断される段階と、
ｃ．支柱以外の改修が必要と判断される段階と、
ｄ．支柱以外を撤去する段階と、
ｅ．夫々の支柱に夫々複数のブラケットを設け、ブラケットで新くぐり抜け防止材を支持する工程と、
を有し、支柱にブラケットの根本を固定すると共にブラケットの先端にて新くぐり抜け防止材を支持することを特徴とする手すりの改修システム。
【請求項８】
既存の手すりを改修した改修手すりにおいて、
ａ．立設された既存の手すりであって、コンクリートの躯体に埋設固定された既存の支柱と、既存の支柱に固定されたくぐり抜け防止材と、既存の支柱に固定された笠木と、を有する既存の手すりと、
ｂ．既存の手すりとは見込方向の異なる位置において前記躯体に立設した新支柱と、
ｃ．新支柱に支持される新くぐり抜け防止材と、
ｄ．新支柱と既存の笠木を連結する既存手すりと新手すりの連結部材と、
を有することを特徴とする改修手すり。
【請求項９】
新支柱は既存の手すりを設けた面の見込方向両側で壁面に沿う方向の同一位置において、躯体に夫々立設された新支柱と、壁面に沿う方向の同一位置に立設された見込方向の２本の新支柱を連結して互に固定する支柱連結部材と、を有することを特徴とする請求項８に記載の改修手すり。
【請求項１０】
新支柱及び既存の支柱上部を蔽って新支柱に固定されると共に新くぐりぬけ防止材の上部を支持する新笠木を有することを特徴とする請求項８又は９に記載の改修手すり。
【請求項１１】
既存の手すりを改修した改修手すりにおいて、
ａ．立設された既存の手すりからくぐり抜け防止材を除去した既存の手すりの部材であって、コンクリートの躯体に埋設固定された既存の支柱と、既存の支柱に固定された笠木と、を有し、既存の支柱に固定されたくぐり抜け防止材のない既存の手すりと、
ｂ．既存の手すりとは見込方向の異なる位置において前記躯体に立設した新支柱と、
ｃ．新支柱に支持される新くぐり抜け防止材と、
ｄ．新支柱と既存の笠木を連結する既存手すりと新手すりの連結部材と、
を有することを特徴とする改修手すり。
【請求項１２】
新支柱は既存の手すりを設けた面の見込方向両側で壁面に沿う方向の同一位置において、躯体に夫々立設された新支柱と、壁面に沿う方向の同一位置に立設された見込方向の２本の新支柱を連結して互に固定する支柱連結部材と、を有することを特徴とする請求項１１に記載の改修手すり。
【請求項１３】
新支柱及び既存の支柱上部を蔽って新支柱に固定されると共に新くぐり抜け防止材の上部を支持する新笠木を有することを特徴とする請求項１１又は１２に記載の改修手すり。
【請求項１４】
既存の手すりを改修した改修手すりにおいて、
ａ．立設された既存の手すりから既存の支柱に固定されたくぐり抜け防止材と、既存の支柱に固定された笠木と、を除去され、コンクリートの躯体に埋設固定された既存の支柱と、
ｂ．既存の手すりとは異なる位置において前記躯体に立設した新支柱と、
ｃ．新支柱に支持される新くぐり抜け防止材と、
ｄ．新支柱に支持される新笠木と、
を有することを特徴とする改修手すり。
【請求項１５】
既存の支柱と新支柱は新笠木を介して結合され固定されていることを特徴とする請求項１４に記載の改修手すり。
【請求項１６】
既存の支柱と新支柱は一直線上に配置されていることを特徴とする請求項１５に記載の改修手すり。
【請求項１７】
既存の手すりを改修した改修手すりにおいて、
ａ．立設された既存の手すりから既存の支柱に固定されたくぐり抜け防止材と、既存の支柱に固定された笠木と、を除去され、コンクリートの躯体に埋設固定された既存の支柱と、
ｂ．既存の支柱に固定され見込方向に突出するブラケットと、
ｃ．ブラケットの先端に下縁が支持された新くぐり抜け防止材と、
ｄ．既存の支柱に固定され新くぐり抜け防止材の上縁の上に突出し、新くぐり抜け防止材の上縁を支持する新笠木と、
を有することを特徴とする改修手すり。
【請求項１８】
既存の手すりを改修した改修手すりにおいて、
ａ．立設された既存の手すりから既存の支柱に固定されたくぐり抜け防止材と、既存の支柱に固定された笠木と、を除去され、コンクリートの躯体に埋設固定された既存の支柱と、
ｂ．既存の支柱に上下方向で夫々固定され見込方向に突出する複数のブラケットと、
ｃ．下側のブラケットの先端に下縁が支持され、上側のブラケットで上部が支持された新くぐり抜け防止材と、
を有することを特徴とする改修手すり。
【発明の詳細な説明】
【技術分野】
【０００１】
本発明は、設置されている下地がコンクリートである既存手すりを設けたバルコニー、フェンス等における手すりの改修に適する手すり改修システム及びこの手すり改修システムにより選択された手すり改修工法により設けられた改修手すりに関するものである。
【背景技術】
【０００２】
従来、手すりには鉄、アルミニウムなど金属材料製が多用されている。これらは正確な形状に製作し得る。大量生産に適する。アルミニウム製の場合特に意匠的にすぐれた外観となる等の利点がある。一方、例えば鉄筋コンクリートの建物等の躯体の寿命は３０年〜５０年程度である。ところが、環境負荷により上記金属材料は腐食する。鉄は特に早期に腐食するので、上記建物の寿命に比べるとかなり短い期間で腐食する。
【０００３】
そこで、手すりを取り換える。手すりを改修する等の発明考案がなされている。
【特許文献１】特開昭５７−８９０５３号公報
【特許文献２】特開昭５８−１１３４５９号公報
【特許文献３】特開昭５７−１７４５７４号公報
【特許文献４】実開昭５８−１９１２３３号公報
【特許文献５】特公平７−２１２３７号公報
【発明の開示】
【発明が解決しようとする課題】
【０００４】
既存手すりを全部除去して行われる改修手すり工事では、既存手すりの撤去を行い新規の手すりを設置することになる。
既存手すりの解体は、ａ．格子、ｂ．笠木・笠木受け、ｃ．支柱・支柱補強材の取外しの工程を経る。しかし、この方法では埋め込み作業があり、特にｃ．以降は時間と費用がかかる。
【０００５】
そこで、旧支柱（既存の手すり）を新支柱として用いて上述の特許文献に示す手すり改修工法が種々提案されている。しかし、上記の提案では既存の手すりの支柱以外を出来る限り除去して手すりを改修しようとしている。
【０００６】
しかし、このような改修を行う場合居住者がいる場合が多く、既存の支柱を用いるとしても居住者は騒音になやまされる。また、支柱を撤去する場合は更に粉塵騒音の発生をどのように抑制するかという課題及びコンクリート廃棄物の処分という課題がある。
【０００７】
本発明は、既存手すりを極力残して、新規手すりを設置する工法である。そして、既存手すりが全く不可とされる程度に老朽化していた場合においても、既存手すりにかかわりなく手すりを改修できる工法である。そして、この工法に用いる改修用手すりを提供するものである。この工法を行うことによって、工期の短縮、柱除去時の切断機の騒音を無くし、解体費用の削減が図れる。
【０００８】
また、他の本発明は、既存手すりの支柱が耐久的に寿命が見込まれないような場合において、既存の支柱を撤去することなく格子、笠木を除去して新たな手すりを設置可能な手すり改修システム及び改修手すりを提供するものである。
【０００９】
先にのべた特許文献に記載の改修手すりは既存の手すりの支柱にカバー部材をかぶせて該支柱を補強するものと概括できる。このような工法はカバー部材の製作に多大のコストがかかる。また、必ずしも工事が簡単ではない。
【００１０】
そこで、他の本発明は既存の支柱を利用する手すりの改修において簡単に新手すりに改修できる手すり改修システム及び改修手すりを提供することを目的とするものである。
【００１１】
本発明では上述のように手すり改修システム及び改修手すりが多様に提供されている。特に、本発明では既存の手すりの状態にかかわらず提供できる改修手すり及び手すり改修工法がある。また、本発明の他の改修手すり及び手すり改修工法は従来例とは著しく異なっている。
【００１２】
そこで、手すりを改修する前に躯体及びその躯体に備えられている手すりの診断が行われる。本発明は全く新規な改修手すりを提供するものであるため、躯体及び手すりの診断から始まり、施工の準備、施工完成に到る過程を示すシステムが新規且つ有用なものである。
【００１３】
本発明は新規且つ有用な手すり改修システムを提供することを目的とする。
【課題を解決するための手段】
【００１４】
本出願に係る第１の発明はコンクリート支持部材に根本を埋設して固定された支柱を有する手すりの改修システムにおいて、
Ａ．支柱の強度が耐久的にもつかもたないかを判断する段階と、
ａ．支柱の強度が耐久的にもたないと判断された段階と、
ｂ．支柱の強度が耐久的にもたないと判断されると、既存手すりの完全無撤去とするかしないかを判断をする段階と、
ｃ．既存手すりを完全無撤去とすると決定する段階と、
ｄ．既存手すりを完全無撤去とすると決定された場合に既存手すりを撤去しないで、新手すりを設ける段階と、
を有し、見込方向において既存の手すりとは異なる位置に新手すりを立設し、新手すりの支柱と既存の手すりの笠木とを固定することを特徴とする手すりの改修システムである。
【００１５】
本出願に係る第２の発明は既存の笠木を蔽うと共に新くぐり抜け防止材を支持する新笠木を新支柱又は既存の笠木に固定したことを特徴とする第１の発明に記載の手すりの改修システムである。
【００１６】
本出願に係る第３の発明はコンクリート支持部材に根本を埋設して固定された支柱を有する手すりの改修システムにおいて、
Ａ．支柱の強度が耐久的にもつかもたないかを判断する段階と、
ａ．支柱の強度が耐久的にもたないと判断された段階と、
ｂ．支柱の強度が耐久的にもたないと判断されると、既存手すりの完全無撤去とするかしないかを判断をする段階と、
ｃ．既存手すりを完全無撤去としないと決定する段階と、
ｄ．既存手すりを完全無撤去としないと決定された場合に既存手すりのくぐり抜け防止材を撤去して、新手すりを設ける段階と、
を有し、見込方向において既存の手すりとは異なる位置に新手すりを立設し、新手すりの支柱と既存の手すりの笠木とを固定することを特徴とする手すりの改修システムである。
【００１７】
本出願に係る第４の発明はコンクリート支持部材に根本を埋設して固定された支柱を有する手すりの改修システムにおいて、
Ａ．支柱の強度が耐久的にもつかもたないかを判断する段階と、
ａ．支柱の強度が耐久的にもたないと判断された段階と、
ｂ．支柱の強度が耐久的にもたないと判断されると、既存手すりの完全無撤去とするかしないかを判断をする段階と、
ｃ．既存手すりを完全無撤去しないと決定する段階と、
ｄ．既存手すりを完全無撤去しないと決定された場合に既存手すりの笠木、くぐり抜け防止材を撤去して支柱を残して新手すりを設ける段階と、
を有し、既存の手すりの支柱とは異なる位置に新支柱を立設し、新支柱で新笠木、新くぐり抜け防止材を支持することを特徴とする手すりの改修システムである。
【００１８】
本出願に係る第５の発明は既存の支柱を結ぶ線上に新手すりの支柱を立設し、新笠木と既存の支柱とを結合固定したことを特徴とする第４の発明に記載の手すりの改修システムである。
【００１９】
本出願に係る第６の発明はコンクリート支持部材に根本を埋設して固定された支柱を有する手すりの改修システムにおいて、
Ａ．支柱の強度が耐久的にもつかもたないかを判断する段階と、
ａ．支柱の強度が耐久的にもつと判断された段階と、
ｂ．支柱の強度が耐久的にもつと判断されると、支柱以外の改修が必要かどうかが判断される段階と、
ｃ．支柱以外の改修が必要と判断される段階と、
ｄ．支柱以外を撤去する段階と、
ｅ．支柱にブラケットを設け、ブラケット及び新笠木で新くぐり抜け防止材を支持する工程と、
を有し、支柱にブラケットの根本を固定すると共にブラケットの先端にて新くぐり抜け防止材の下縁を支持し、新くぐり抜け防止材の上縁を支柱に固定した新笠木で支持することを特徴とする手すりの改修システムである。
【００２０】
本出願に係る第７の発明はコンクリート支持部材に根本を埋設して固定された支柱を有する手すりの改修システムにおいて、
Ａ．支柱の強度が耐久的にもつかもたないかを判断する段階と、
ａ．支柱の強度が耐久的にもつと判断された段階と、
ｂ．支柱の強度が耐久的にもつと判断されると、支柱以外の改修が必要かどうかが判断される段階と、
ｃ．支柱以外の改修が必要と判断される段階と、
ｄ．支柱以外を撤去する段階と、
ｅ．夫々の支柱に夫々複数のブラケットを設け、ブラケットで新くぐり抜け防止材を支持する工程と、
を有し、支柱にブラケットの根本を固定すると共にブラケットの先端にて新くぐり抜け防止材を支持することを特徴とする手すりの改修システムである。
【００２１】
本出願に係る第８の発明は既存の手すりを改修した改修手すりにおいて、
ａ．立設された既存の手すりであって、コンクリートの躯体に埋設固定された既存の支柱と、既存の支柱に固定されたくぐり抜け防止材と、既存の支柱に固定された笠木と、を有する既存の手すりと、
ｂ．既存の手すりとは見込方向の異なる位置において前記躯体に立設した新支柱と、
ｃ．新支柱に支持される新くぐり抜け防止材と、
ｄ．新支柱と既存の笠木を連結する既存手すりと新手すりの連結部材と、
を有することを特徴とする改修手すりである。
【００２２】
本出願に係る第９の発明は新支柱は既存の手すりを設けた面の見込方向両側で壁面に沿う方向の同一位置において、躯体に夫々立設された新支柱と、壁面に沿う方向の同一位置に立設された見込方向の２本の新支柱を連結して互に固定する支柱連結部材と、を有することを特徴とする第８の発明に記載の改修手すりである。
【００２３】
本出願に係る第１０の発明は新支柱及び既存の支柱上部を蔽って新支柱に固定されると共に新くぐりぬけ防止材の上部を支持する新笠木を有することを特徴とする第８又は第９の発明に記載の改修手すりである。
【００２４】
本出願に係る第１１の発明は既存の手すりを改修した改修手すりにおいて、
ａ．立設された既存の手すりからくぐり抜け防止材を除去した既存の手すりの部材であって、コンクリートの躯体に埋設固定された既存の支柱と、既存の支柱に固定された笠木と、を有し、既存の支柱に固定されたくぐり抜け防止材のない既存の手すりと、
ｂ．既存の手すりとは見込方向の異なる位置において前記躯体に立設した新支柱と、
ｃ．新支柱に支持される新くぐり抜け防止材と、
ｄ．新支柱と既存の笠木を連結する既存手すりと新手すりの連結部材と、
を有することを特徴とする改修手すりである。
【００２５】
本出願に係る第１２の発明は新支柱は既存の手すりを設けた面の見込方向両側で壁面に沿う方向の同一位置において、躯体に夫々立設された新支柱と、壁面に沿う方向の同一位置に立設された見込方向の２本の新支柱を連結して互に固定する支柱連結部材と、を有することを特徴とする第１１の発明に記載の改修手すりである。
【００２６】
本出願に係る第１３の発明は新支柱及び既存の支柱上部を蔽って新支柱に固定されると共に新くぐり抜け防止材の上部を支持する新笠木を有することを特徴とする第１１又は第１２の発明に記載の改修手すりである。
【００２７】
本出願に係る第１４の発明は既存の手すりを改修した改修手すりにおいて、
ａ．立設された既存の手すりから既存の支柱に固定されたくぐり抜け防止材と、既存の支柱に固定された笠木と、を除去され、コンクリートの躯体に埋設固定された既存の支柱と、
ｂ．既存の手すりとは異なる位置において前記躯体に立設した新支柱と、
ｃ．新支柱に支持される新くぐり抜け防止材と、
ｄ．新支柱に支持される新笠木と、
を有することを特徴とする改修手すりである。
【００２８】
本出願に係る第１５の発明は既存の支柱と新支柱は新笠木を介して結合され固定されていることを特徴とする第１４の発明に記載の改修手すりである。
【００２９】
本出願に係る第１６の発明は既存の支柱と新支柱は一直線上に配置されていることを特徴とする第１５の発明に記載の改修手すりである。
【００３０】
本出願に係る第１７の発明は既存の手すりを改修した改修手すりにおいて、
ａ．立設された既存の手すりから既存の支柱に固定されたくぐり抜け防止材と、既存の支柱に固定された笠木と、を除去され、コンクリートの躯体に埋設固定された既存の支柱と、
ｂ．既存の支柱に固定され見込方向に突出するブラケットと、
ｃ．ブラケットの先端に下縁が支持された新くぐり抜け防止材と、
ｄ．既存の支柱に固定され新くぐり抜け防止材の上縁の上に突出し、新くぐり抜け防止材の上縁を支持する新笠木と、
を有することを特徴とする改修手すりである。
【００３１】
本出願に係る第１８の発明は既存の手すりを改修した改修手すりにおいて、
ａ．立設された既存の手すりから既存の支柱に固定されたくぐり抜け防止材と、既存の支柱に固定された笠木と、を除去され、コンクリートの躯体に埋設固定された既存の支柱と、
ｂ．既存の支柱に上下方向で夫々固定され見込方向に突出する複数のブラケットと、
ｃ．下側のブラケットの先端に下縁が支持され、上側のブラケットで上部が支持された新くぐり抜け防止材と、
を有することを特徴とする改修手すりである。
【発明の効果】
【００３２】
解決しようとする問題点は既存の手すりの除去に多大な労力と作業が周囲に及ぼす環境負荷である。また、手すり改修に際して、効果的な選択肢を増加させることである。
【発明を実施するための最良の形態】
【００３３】
発明を実施するための最良の形態は後述の実施例１に示される。
【実施例】
【００３４】
以下の説明において耐用年数とは物理的な耐用年数をいうものであって、法定耐用年数との考え方は含まれていない。
【００３５】
以下の説明においてくぐり抜け防止材とは、手すり子を並列した格子、ガラス板、金属板、等のパネル、ぬき、平げた、たすき等の支柱と笠木に囲まれた範囲に設けられる部材をいう。くぐり抜け防止材は人等がくぐれない機能を有するが、併せて、手すりの補強、室内を外部からの遮蔽、意匠等の機能を持つものもある。
【００３６】
先ず、手すり改修工法の全体構成（手すり改修システム）についてのべる。手すり改修の要請の原因は手すりの老朽化、又は格子をガラスにしたい等のデザイン変更等である。
【００３７】
図１は手すり改修システムの実施例のフローチャートである。先ず、ステップＳ１で躯体の診断を行う。この診断により建屋の躯体の残りの見込耐用年数がどの位かの判断がされる。そして、残りの見込耐用年数があるかどうかが判断され、残りの見込耐用年数がない、又は建物改修の価値ない程度に残りの耐用年数が少ないと判断されるとステップＳ−１に進む。
【００３８】
ステップＳ１−１では手すりの改修をするかどうかが判断される。この場合、手すりの耐用年数が少ないとしても手すりの支柱が耐久性があるときは実施例５又は６を採用し、そうでないときは手すりは改修することなく放置され終了する。
【００３９】
ステップＳ１で躯体の残りの見込み耐用年数があると判断されると手すりの診断に入り、ステップＳ２に進む。
【００４０】
ステップＳ２では手すりの状態が診断される。ステップ２では手すりの状態が強度上充分に使用に耐えるかどうかが診断される。
【００４１】
ステップＳ２では支柱強度を判断して支柱の腐食、損傷により耐久的に限度ではないかと推測される場合又は、支柱を補強しても耐久期間はわずかしかのびず、残りの耐久期間が補強に要する費用に見合わないというような場合にはステップＳ３へ進む。ステップ２で支柱強度が耐久的にまだ充分使用可能と判断されるとステップＳ２−１へ進む。
【００４２】
ステップＳ２−１では手すりの支柱を除く部分の改修が必要か否かが判断される。ここでは格子、笠木の損傷の程度又は残りの耐久年数の程度若しくはデザインを変更したい等の希望等により改修の必要性が判断される。ここで、格子、笠木の損傷とは、強度上と美観上のものを含む。即ち、強度上はもつが曲り、表面のきず等も損傷に含めて考えられる
ステップＳ２−１で支柱以外の改修が必要ないと判断されると手すりの改修をしない。
【００４３】
ステップＳ２−１で支柱以外の改修が必要であると判断されるとステップＳ２−２に進む。
【００４４】
ステップＳ２−２で本発明によるかどうかが選択される。本発明による手すり改修を行う場合はステップＳ２−３ヘ進む。ステップＳ２−２で本発明による手すりの改修を行わない場合は在来工法による。ここで在来工法によれば笠木、格子等の損傷した部材の修理又は部材の交換による修復又は支柱のみを残して笠木、格子を撤去して例えば先に述べた特許文献に示す工法が採用される。
【００４５】
ステップＳ２−３では既存の手すりを完全無撤去で行うかどうかが判断される。完全無撤去で行うとすると実施例１又は２もしくは７が選択される。完全無撤去で行われないときは、格子、笠木を撤去して既存の支柱を用いた実施例５又は６が実行される。
【００４６】
ステップＳ２で既存の支柱が耐久的に強度がもたないと判断されるとステップＳ３においては本発明を適用した工法で手すりを再現させるか、在来工法による手すりの完全撤去を行うかどうかを判断する。在来工法による手すり改修工法で手すりを再現する場合は手すりを完全撤去する。
【００４７】
ステップＳ３で本発明の手すりの改修工事を行う場合はステップＳ４，Ｓ５へ進む。
【００４８】
ステップＳ４で本発明による手すり改修を行うことが決定されるとステップＳ５へ進む。
【００４９】
ステップＳ５で手すりを完全無撤去（既存の手すりをそのまま残す）の場合は本発明の実施例１又は２もしくは７で施工する。
【００５０】
ステップＳ５で完全無撤去でない場合はステップＳ６へ進む。
【００５１】
ステップＳ６では格子部分のみ撤去するかどうかが選択される。ステップＳ６で格子部分のみ撤去するとすれば、本発明の実施例３で施工する。格子部分のみ撤去するだけでなく笠木を撤去する場合は支柱のみ残すことになりステップＳ７へ進む。
【００５２】
ステップＳ７で既存の支柱を利用するかどうかが選択される。ステップＳ７で既存の支柱を利用することが選択されると既存の支柱をカバー部材で補強する在来工法が採用される。在来工法とは例えば先にのべた特許文献に示される工法である。ステップＳ７で既存の支柱は残すがこの支柱は新手すりの支柱としての利用はしないという選択がされると本発明の実施例４で手すりの改修が施工される。
【００５３】
以上の説明ではくぐり抜け防止材としては格子の例を挙げたがパネルその他であっても同様に本システムは採用される。
【００５４】
（従来から設置している手すりの説明）
図３に示すように、全体を符号１で示す手すりは支柱２、格子３、笠木４及び後述するこれら部材を締結して一体とする締結部材を有する。ここで、格子３に代えて、板材としてガラス、不燃性板材例えば薄鋼板等も用いられる。この明細書においては格子その他の板材の何れか１つをくぐり抜け防止材と称するものとする。
【００５５】
支柱２は間隔をおいて複数躯体のベランダのコンクリートの外縁５に根本を埋め込まれてコンクリート又は他の接着剤等で固められて外縁５上に立設されている。ここで、ベランダは外縁５と一体構成の鉄筋コンクリートである。
【００５６】
図５に断面を示すように支柱２は本材６と芯材７とを有する。支柱の本材６はその断面が方形の中空筒であって内隅にタッピング穴（条溝であるが断面が中心角が２７０度程度の円形又は角形で口部が溝の内接円の直径よりも小さい断面である。以下同じ）６ａを備えている。本材６の各辺６ｂの中央部内側に夫々設けた２本の突条６ｃに接するように断面が円形の中空筒の芯材７が挿入されている。本材６と芯材７は本材６と芯材７を貫通する穴にブラインドリベット１１を打ち込み締結されている。このリベット１１の位置は辺６ｂのうちの１つの中央で２つの突条６ｃの間である。
【００５７】
本材６はアルミ押出し型材である。芯材７はステンレス製である。図４に示すように芯材７は本材６の下端から下方に突出し、突出部分の全部が外縁５に埋め込まれている。芯材７の上端は格子３の下桟３ｂ近くと同高とされている。本材６は下端が外縁５の上面５ａに接し、上端は笠木受け１５まで同断面の型材である。
【００５８】
格子３は上部に横架される格子受け３ａと下部に横架される下桟３ｂ間に上下方向にわたる手すり子３ｃの両端部をこれら格子受け３ａ、下桟３ｂに接して、格子受け３ａ、下桟３ｂに手すり子３ｃをかしめ、溶接等で締結してなる。格子受け３ａは隣り合う支柱２上に夫々設けた笠木受け１５の端部に少し離れて横に両端が位置し、笠木受け１５に対して上方向にずれている（図６参照）。下桟３ｂは隣り合う支柱２間にわたる長さを有する。図７に示すように、格子受け３ａと手すり子３ｃは格子受け３ａを挿通するタッピングねじ１６を手すり子３ｃのタッピング穴３ｃ−１（図５参照）にねじ込み固定してある。下桟３ｂは下桟３ｂを挿通する図示されないタッピングねじをタッピング穴３ｃ−１にねじこみ、手すり子３ｃを固定してある。手すり子３ｃは人等がくぐり抜けられない間隔をもって並列している。
【００５９】
既存の手すり１の施工は以下のとおりである。外縁５に設けた穴５ｆに芯材７を挿入し、穴５ｆと芯材７間にモルタル又は接着剤を充填する。モルタル又は接着剤が固化後に本材６を芯材７に挿入するがその際、本材６の下端から丸ベース８を挿入しておく。
【００６０】
支柱２が外縁５に立設されると、図４に示すように先ず丸ベース８を外縁５に着座させる。丸ベース８はナイロン（登録商標名）製である。丸ベース８は外周が円形で中心に支柱２の本材６の外形とほぼ同断面の穴を有する。
【００６１】
次に笠木受け１５を各支柱２に夫々取り付ける。
【００６２】
図６は手すり端部の躯体立面部５ｂへの取り付けを示す正面図である。支柱２に笠木受け１５を介して笠木４を取り付ける構成については、躯体立面部５ｂに近い図示以外の中間の支柱２に関しても同構成である。図７は手すり上部を見込方向の垂直面で切る断面図である。笠木受け１５はその下面が支柱２の上端に接している。笠木受け１５はその中間部が支柱２の上端に接して限定的に両側で笠木４に沿って突出している。何れの笠木受け１５も支柱２上では支柱２の上端に接した上で笠木受け１５を挿通して支柱２のタッピング穴６ａ（図５参照）にねじ込まれたタッピングねじ９により支柱２に固定されている。笠木受け１５を挿通するタッピングねじ１８は笠木４の下部材４ｃにねじ込まれて笠木受け１５は笠木４に固定されている。
【００６３】
図７は図４の上部を拡大して示す図面である。格子受け３ａの断面は図７に示すように格子受け３ａは浅い溝形であって溝側を上にして笠木４の下部材４ｃの中央部に上方へ向ってへこめた凹部４ｄに嵌め込まれている。格子受け３ａを貫通してタッピングねじ１７を笠木４の下部材４ｃにねじ込み格子受け３ａと笠木４が締結されている。
【００６４】
図４、図５に示すように、下桟３ｂは支柱本材６にアングル材のブラケット１３を介して固定されている。即ち、ブラケット１３の一方のフランジを本材６に当接してブラインドリベット１２でもって本材６とブラケット１３を締結してある。ブラケット１３の他方のフランジ上に下桟３ｂを載置し、下桟３ｂと該他方のフランジを小ねじ１４で締結してある。
【００６５】
笠木４は断面が上方に向って凸な円弧形の天面を有する中空のアルミ押出し型材で出来ている。笠木４はベランダの室内から見て左右の対向する立面部５ｂ近くの間にわたって横架される。笠木４は継目のないアルミ押出し型材の一本物が用いられる場合と、端面を突合せて用いられる場合とがある。端面を突合せる場合は支柱２の中心に一致させて突合せる。
【００６６】
図７に示すように笠木４には両側の側板部４ｂ間の下部材４ｃが上方へ向って、タッピングねじ１６と干渉しないように凹部４ｄが設けてある。
【００６７】
笠木受け１５は図６に示すように支柱２から両側へ、はみ出すようにのびている。図示されないが中間の支柱２において笠木受け１５は同様に支柱２の両側にはみ出させる。
【００６８】
笠木受け１５が支柱２上に取り付けられた後は、笠木４の嵌合部４ａを笠木受け１５の両縁に沿って嵌め込む。これによって笠木受け１５の上面１５ａと笠木の両側の嵌合部４ａ間の下部材４ｃが接触する。次に図６に示すように支柱２外の笠木受け１５のある位置において、笠木受け１５を下方から上方へ挿通してタッピング１８を笠木４の下部材４ｃにねじ込み、笠木４と笠木受け１５とを締結する。次に、隣りあう支柱２間において１つの格子３を夫々取り付ける。格子３は垂直状態よりわずかに傾けて格子受け３ａを笠木４の凹部４ｄに嵌め込み、下桟３ｂを見込方向に移動してけんどん式に下桟３ｂをブラケット１３上にのせる。そして、小ねじ１４を下桟３ｂを挿通してブラケット１３にねじ込む。及び格子受け３ａを挿通してタッピングねじ１７を笠木４の下部材４ｃにねじ込む。
【００６９】
図６に示すように、立面部５ｂへの手すり１の取り付けは本例では笠木４がブラケット１９を介して立面部５ｂに固定されることによる。図６に示すように笠木４の広幅の溝となっている嵌合部４ａ（図７参照）に丁度幅が一致するアングルのブラケット１９の一方のフランジを挿入し、他方のフランジを立面部５ｂに当接させる。
【００７０】
そして下から上へブラケット１９の一方のフランジを挿通してボルト２１を笠木４の下部材４ｃに固定したポップナット２２（図６参照）にねじ込み、ブラケット１９の一方を笠木４に固定してある。ポップナット２２は笠木４の見込方向の幅の中央に一箇所設けてある。ブラケット１９の他方のフランジを立面部５ｂに当接させ該他方のフランジを挿通して立面部５ｂにアンカー２３を挿入固定し、このアンカー２３でブラケット１９を立面部５ｂに固定してある。笠木４の端部にはエンドキャップ４Ａが嵌め込まれている。エンドキャップ４Ａは笠木４の端部が丁度内側に嵌合する形状である。エンドキャップ４Ａと笠木４の側板部４ｂを挿通するブラインドリベット４ｆによりエンドキャップ４Ａは笠木４に固定されている。
【００７１】
尚、上述では手すりの躯体への取り付けを立面壁としたが手すりの端部の躯体への取り付けは、躯体の態様に従って施工される。そして手すりの躯体への取付部材をユニット化して手すりを躯体へ取り付けることもできる。
[実施例１]
【００７２】
実施例１は手すり改修システムにおいてステップＳ２で支柱の強度がもたない、もつに拘らず、既存の手すりを完全無撤去で行われる手すり改修方法である。フローチャートのステップＳ５（支柱の強度がもたない場合）で能動的な判断がされた場合に実行される。また、支柱の強度がもつ場合において、ステップＳ２−３において既存の手すり（支柱以外の改修が必要）を完全無撤去と決定した場合に実施例１は実行してもよい。
【００７３】
図８は改修手すりの見込方向の断面を示す。図９は図８の水平断面図である。説明としては工程順に説明し、完成した改修手すりの理解に及ぶようにする。
【００７４】
図８に示すように外縁５の上面５ａ及び内外側の側面５ｃに夫々接するアングル形状のベース２４を外縁５に取り付ける工事を行う。
【００７５】
先ず、ベース２４の上にベース２４のフランジ２４ａの予め穴明してあるボルト穴２４ｂの位置に合せて外縁５の上面５ａ側にドリルで基礎ボルト穴をあける。このとき、ボルト穴２４ｂ又はボルト穴２４ｂに嵌合した治具を用いて該基礎ボルト穴をあけると好適である。
【００７６】
ボルト穴２４ｂを挿通して外縁５の上面５ａにあけた穴にアンカー２５を挿入しこのアンカー２５を該穴に固定する。このアンカー２５は周知のもので該穴外に出ているおねじにねじ込まれたナットを呼び込むと該穴内でアンカー２５が拡径するもの、芯材をたたき込むことによりアンカーを奥で拡径するもの等何れでもよい。これによりベース２４を外縁５に固定する。
【００７７】
ベース２４のフランジ２４ａ上には予め中空円筒形の芯材２６の下端が溶接により固定されている。ここで、ベース２４、芯材２６はステンレス鋼材製である。従って、ベース２４が外縁５に固定されると芯材２６が立設される。この芯材２６の位置は図９に示すように、既存の支柱２の近くである。即ち、外縁５の見込方向の幅のほぼ中心に既存の手すり１があり、既存の手すり１の見込方向の両側の対称位置又はほぼ対称位置に芯材２６が立設されることになる。
【００７８】
芯材２６に断面が中空方形の新たな支柱（新支柱という）２７，２８が挿入される。この嵌合は静合程度の嵌合である。即ち、新支柱２７，２８の内矩と芯材２６の外径のはめ合い公差が静合程度である。新支柱２７，２８はアルミ押出し型材又はステンレス鋼材製である。アルミ押出し型材の場合は既存の支柱２と同様に四隅にタッピング穴を設ける（図示省略）。新支柱２７，２８の一辺の中心から芯材２６の中心に向って図示されないブラインドリベットを打ち込み、新支柱２７，２８が芯材２６から抜けないようにする。
【００７９】
図８に示すように新支柱２７，２８の上端は既存の支柱２の高さと等しくてもよく、大略等しくてもよい。笠木４と新支柱２７，２８を結合するために連結具２９を用いる。新支柱２７，２８の上端にはアングル状の連結具２９の一方のフランジが当接し、他方のフランジは既存の笠木４の側板部４ｂに当接する。そして、連結具２９の一方のフランジを新支柱２７，２８の上端に固定すると共に他のフランジを笠木４に当接して固定する。
【００８０】
連結具２９の一方のフランジの新支柱２７，２８への固定は新支柱２７，２８がアルミ押出し金型の場合、該一方のフランジを挿通するタッピングねじを新支柱２７，２８のタッピング穴にねじ込み行われる。新支柱２７，２８がステンレス製の場合は連結具２９の一方のフランジを新支柱２７，２８の上端に溶接にて固定するか、該一方のフランジに設けた、例えば方形の嵌合突部を新支柱２７，２８の内側に挿入して固定される。連結具２９の他方のフランジは、他方のフランジを挿通する小ねじ３０を笠木４の側板部４ｂに固定した図示しないポップナットにねじ込み固定される。
【００８１】
笠木４と新支柱２７，２８を既存の笠木４に結合した後、又は前に新支柱２７と新支柱２８を連結する。この連結方法は新支柱２７，２８の対向面の間隔と同長さの柱連結部材３１を連結個所に挿入して柱連結部材３１の両端を新支柱２７，２８の対向面に当接させて保持し、予め新支柱２７，２８を横断してあけてある小ねじ用の穴を挿通してねじ部材３２を柱連結部材３１にねじ込む。ここで、柱連結部材３１にはその端面から長手方向にめねじ又はタッピング穴が設けられており、めねじの場合はねじ部材３２は小ねじであってこのめねじにねじ込まれる。柱連結部材３１に設けられている穴がタッピング穴の場合はねじ部材３２はタッピングねじであってこのタッピング穴にねじ込まれる。当然柱連結部材３１の位置即ち新支柱２７，２８の位置は内外部方向から見て手すり子３ｃ間である。即ち、連結部材３１は手すり子３ｃのない位置をとおっている。なお、既存の手すりが格子でなく、格子の位置にパネルを設けてある場合は、パネルに連結部材３１を挿通できる穴を設ける。
【００８２】
次に外部側の新支柱２８にブラケットを取り付ける。ブラケットは笠木４に近い側の上ブラケット３３とベース２４に近い側の下ブラケット３４がある。下ブラケット３４の底部を除いて両ブラケット３３，３４は水平断面が同様である。
【００８３】
図９の一部を拡大した図１０に示すように、ブラケット３３，３４は新支柱２８が丁度はまり込む溝形部３３ａ，３４ａの底板中央に板面が垂直なステー部３３ｂ，３４ｂが設けてある。ステー部３３ｂ，３４ｂの先端には壁面と平行するフランジ３３ｃ，３４ｃが設けてある。
【００８４】
図８、図１０に示すように、下ブラケット３４には底部３４ｄが設けてある。この底部３４ｄはステー部３４ｂ及びフランジ３４ｃの下端にわたって一体に設けてある。底部３４ｄは水平な板状であって底部３４ｄ上にはフランジ３４ｃに平行なリブ３４ｅが設けてある。上ブラケット３３には壁面に平行なフランジ３３ｅがステー部３３ｂから壁面に沿う方向の両側にのびている。フランジ３３ｅの高さは上ブラケット３３の全高さと等しい。
【００８５】
下ブラケット３４は溝形部３４ａ、ステー部３４ｂ、フランジ３４ｃ、底部３４ｄ、リブ３４ｅを有する一体部品である。上ブラケット３３がアルミ押出し型材の場合は底部３４ｄを該型材に溶接して下ブラケット３４としてもよい。又、下ブラケット３４はアルミダイキャストにより一体成形することもできる。上ブラケット３３はアルミダイキャスト又はアルミ押出し型材製である。
【００８６】
図１０に示すようにブラケット３３，３４は夫々溝形部３３ａ，３４ａを外部側から新支柱２８に嵌め込み、溝形部３３ａ，３４ａの穴、新支柱２８の穴及び芯材２６（下部ブラケット３４のみ）の穴を挿通して通しボルトナット３５により新支柱２８とブラケット３３，３４は夫々固定される。通しボルトナット３５のボルト３５ａは首下以下の長さが溝形部３３ａ，３４ａの溝幅方向の外矩寸法と等しい円筒部３５ｂと、円筒部３５ｂから縮径したおねじ部３５ｃを有し、おねじ部３５ｃにナット３５ｄがねじ込まれる。
【００８７】
隣接する新支柱２８，２８に固定したブラケット３３，３４にパネル又はガラス板等のくぐり抜け防止材３６が嵌め込まれる。くぐり抜け防止材３６は例えば高さが１０４０ミリメートル程度である。くぐり抜け防止材３６を垂直に保持した状態でその下縁３６ａ側から左右の上ブラケット３３，３３のフランジ３３ｃ，３３ｅ間を挿通して下降させ、下縁３６ａを下ブラケット３４のフランジ３４ｃとリブ３４ｅ間に嵌合して底部３４ｄに着座させる。そして、くぐり抜け防止材３６の上縁３６ｂ側と新支柱２８間に図示されないくさびを挿入してくぐり抜け防止材３６の上縁３６ｂ側を上ブラケット３３のフランジ３３ｃに押しつける。なお、くさびで、くぐり抜け防止材３６の上部を固定する場合は上ブラケット３３のフランジ３３ｅを省略してもよい。
【００８８】
くぐり抜け防止材３６の側縁３６ｃが立面部５ｂ近くに来る位置では立面部５ｂのすぐ近くで外縁５に前述したベース２４を固定して芯材２６に新支柱２７，２８を挿入固定し、新支柱２７，２８を既存の笠木４に固定すると共に新支柱２７と２８を柱連結材３１で連結した後に、新支柱２８にブラケット３３，３４を固定する。そしてブラケット３３，３４でくぐり抜け防止材３６を支持する。即ち、立面部５ｂに接近して新支柱２７，２８を立設する全体的な工程は中間柱となる新支柱２７，２８を立設する工程と同様である。尚、立面部５ｂに近接して設ける新支柱２７，２８を取り付けるベース２４の壁面に沿う方向（見付方向）の幅は中間部の新支柱２７，２８を取り付けるベース２４の幅よりも適宜小さくしてもよい。
【００８９】
図１１は実施例１の完成した手すりを室内側からより見る正面図である。
【００９０】
上述のように、この実施例１によれば、既存の手すりの支柱の強度に拘らず、既存の手すりを完全無撤去であっても、新たな手すりを既存の手すりに重ねて設けることができた。
【００９１】
見込方向で新支柱２７，２８を並列して立設し下端側を躯体に固定し、且つ、新支柱２７，２８は上端が既存の笠木４に剛結されているので、新支柱２７，２８を併せて強度が大きい。更に新支柱２７，２８を柱連結材３１で連結したので、新支柱２７，２８を併せた支柱としての強度は極めて大きく剛性がすぐれる。従って、笠木４に人が寄り掛って、既存の支柱２がこの荷重に耐えられないか、耐えられない恐れがあっても、笠木４は新支柱２７，２８に支持されている。新支柱２７，２８は見込方向の２本が荷重を受けるので剛で強い感じがする。
【００９２】
また、既存の手すりを解体したりすることが全くない。従って既存の手すりの解体の工数が０である。そして、新設する場合も躯体に加える加工はアンカー２５でベース２４を外縁５に固定するだけである。そのため、外縁５に垂直方向にコンクリートドリルを装着した電動工具を用いて穿孔するだけであり、容易且つ短時間で、粉塵を殆ど発生することなく、アンカー２５の取り付けができる。従って、モルタルとか接着剤とかをもちいて立設した既存の支柱とは異なり、養生のために待機するという時間が不要である。このことは、また、新しい手すりを施工するベランダを有する住居に居住者がいる場合においても、施工時間が短いということからして居住者に対する工事に伴う負荷が殆どない。
【００９３】
また、既存の手すりの支柱が耐久的に使用限度近いとしても既存の手すりの支柱を除去しないので、既存の手すりを除去する際に、支柱の根本回りの外縁をコンクリートブレーカで粉砕して取除く際に発生する粉塵、騒音がない。また、支柱を除去時に切断する工法によれば切断機の使用に伴う騒音を無くせる。また、廃棄物の発生がきわめて少ない。
【００９４】
実施例１によれば主要な効果は次のとおりである。
（１）既存の手すりを解体する費用及び解体工期がない。
（２）既存の手すりをそのまま残すので既存の手すりを切断・除去時の騒音がない
（３）新しいデザインの手すりとなる。
（４）ベランダ側からの作業が可能で足場の設置が不要となる。
（５）産廃量が削減される。
（６）既存の手すりの支柱が耐久的に強度が見込まれない場合も、既存の笠木が新支柱で支持されることにより、結果的に既存の支柱も補強され、既存の笠木、格子の支持も確保されることになる。
（７）既存の手すりがある状態で作業するので高階にあるベランダの手すりの改修において作業者は心理的に作業し易い。
【００９５】
上述の実施例１では新支柱２７，２８の上端を先に笠木４に固定し、その後、柱連結部材３１で新支柱２７と２８を連結したが、この順序は逆に柱連結部材３１で新支柱２７と２８を連結した後に新支柱２７，２８の上端を笠木４に固定してもよい。
【００９６】
また、新支柱２８へのブラケット３３，３４の取り付けは現場での取り付けとしたが予め、手すり製造工場又は施工者の事業務所等で、取り付けておいてもよい。
【００９７】
また、新支柱２７，２８と既存の笠木の連結具２９の取り付けは予め、新支柱２７，２８に手すり製造工場又は施工者等の事業所等で取り付けてもよい。
【００９８】
また、柱連結部材３１は予め手すり製造工場又は施工者等の事業所で、新支柱２７又は２８の何れかに取り付けておいてもよい。
【００９９】
上述のように予め手すり製造工場又は施工者の事業所等で仕組（サブアセンブリ）んでおくことにより、現場での工期を短縮できる。
【０１００】
上述の説明においてくぐり抜け防止材３６はガラス、パネル等とのべたが、格子でもよい。格子の場合は格子受けと下桟間を手すり子で結合した竪格子形式のものを用いることができる。パネルに代えて用いるガラスの場合は少なくとも上縁、下縁は溝形の条材を嵌め込む。この溝形の条材の材質はステンレス鋼、メッキされた鉄材、真鍮材等の金属材料を用いるのが好適である。
【０１０１】
くぐり抜け防止材３６がガラス板である場合、くぐり抜け防止材をブラケットで支持する部分にはブラケットにグレージングビードを係止してグレージングビードでガラス板を保持してもよい（後述実施例３参照）。尚、上記ガラス板のブラケットで支持する部分は硬化後、弾性を保持するシール剤を充填してもよい。
【０１０２】
実施例１は図１、図２で示される手すりの改修システムにおいて選択された工法として重要である。ただし、改修手すりとして、自体は既存の手すりを完全に撤去（撤去後の笠木は用いる）しても、一部撤去しても、撤去しなくても何れの場合も施工できるものである。
[実施例２]
【０１０３】
実施例２は実施例１に既存の笠木及びくぐり抜け防止材の上縁を一つの一体の笠木で蔽ったものである。図１２は実施例２の見込方向の縦断面図で手すりの上部を示している。
【０１０４】
図１２に示すように新笠木３７は見込方向の幅が新支柱２７の内部側の側面（室内に面する面）とくぐり抜け防止材３６の外部側の側面間の距離よりも大きい。且つ、新笠木３７は内部側の新支柱２７からくぐり抜け防止材３６の両側からはみ出している。新笠木３７は外部材（表面材）３７ａの垂直な両側板３７ａ−１，３７ａ−２間を結ぶ中間部（上部）が上方へ凸な大円弧部３７ａ−３である。見込方向における両側板３７ａ−１，３７ａ−２が該大円弧部３７ａ−３に連続して大円弧部３７ａ−３よりも小さい円弧部３７ａ−４により、滑らかに両側板３７ａ−１，３７ａ−２に接続され、既存の笠木４よりも見込方向の幅が広いものである。
【０１０５】
新笠木３７の上面及び側面の曲面構成の板状の外部材３７ａの下側の構成は内部側（図の右側）から外部側へ向って次のとおりである。内部側の側板３７ａ−２から外部へ向って内フランジ３７ｂが設けてある。大円弧部３７ａ−３の下側から既存の笠木４の上部に接する突条のリブ３７ｃ（本例では２本）が設けてある。外部側の側板３７ａ−１の内部側にリブ３７ｄを設けてある。外部材３７ａ、フランジ３７ｂ、リブ３７ｃ，３７ｄは図１２の紙面に直交する方向に延在している。新笠木３７はアルミ押出し型材製である。新支柱２７，２８の上端に一辺が固定された連結具２９の他辺は既存の笠木４の側板部４ｂに当接しブラインドねじ５６により夫々固定されている。
【０１０６】
外部側の連結具２９には新笠木３７を既存の笠木４に取り付けるための連結材５０が取り付けられる。連結材５０は連結具２９の一方の水平なフランジ上にのせられるフランジ５０ｄと、ガラス溝を構成するための断面溝形の溝形材部５０ａと、新笠木３７のリブ３７ｄを係止するための係止条溝５０ｃを設けるために設けた断面鍵形の突条５０ｂと、くぐり抜け防止材３６がガラス板等の板材である場合において、くぐり抜け防止材３６の上縁を固定するためのグレージングビード３８を係止するための突条５０ｅ、及び同じくグレージングビード３９を係止するための係止条溝５０ｆとを有する。突条５０ｅと係止条溝５０ｆは溝形材部５０ａの口部に対向して設けてある。連結材５０は一体のアルミ押出し型材である。連結材５０は新笠木３７の全長にわたるように配設されている。連結材５０と新笠木３７の外部側の側板３７ａ−１との間には組立上必要な隙間ｇが設けてある。また、係止条溝５０ｃとリブ３７ｄの嵌合は組立上必要なガタ（隙間）が設けてある。
【０１０７】
新笠木３７を組付ける前には、連結材５０を連結具２９に組付ける。このとき、外部側の連結具２９の一方のフランジ上にフランジ５０ｄを載置して、連結具２９を挿通して小ねじ５７をフランジ５０ｄにねじ込む。これによって連結材５０は既存の笠木４に対して固定される。なお、本例の連結具２９は長手方向の長さが新支柱２７，２８の同長さよりも大きい。連結具２９は長手方向において新支柱２７，２８の両側からはみ出ている。また、連結材５０は新笠木３７と同長さとしてもよい。
【０１０８】
次にくぐり抜け防止材３６、新笠木３７を取り付けるが何れが先であってもかまわないし、夫々が別個に連結材５０に連結可能となっている。
【０１０９】
新笠木３７は既存の笠木４の内部側の角円部４ｅよりも少しフランジ３７ｂが上方にくるように、外部側を下げ内部側を持ち上げた状態で、リブ３７ｄの先端を係止条溝５０ｃの口部に合わせ、新笠木３７を内部側へ移動するとリブ３７ｄは係止条溝５０ｃに嵌まり込む。ここで、リブ３７ｄと係止条溝５０ｃの嵌合部を中心にして新笠木３７を図１２において時計回りに回動すると、フランジ３７ｂは既存の笠木４、内部側の連結具２９の竪フランジ等に当ることなく降下して、内部側の連結具２９の水平なフランジ上に着座する。そして、新笠木３７を外部側へ押すと、フランジ３７ｂの縁が連結具２９の隅で連結具２９の竪フランジに当る。ここで内部側の連結具２９を挿通して小ねじ５８をフランジ３７ｂにねじ込み、新笠木３７を既存の笠木４に対して固定する。
【０１１０】
新笠木３７の取り付け法としては次のような方法もある。連結材５０を連結具２９に取り付けないで、新笠木３７のリブ３７ｄに連結材５０の係止条溝５０ｃを嵌め込み新笠木３７で連結材５０を支持した状態で、既存の笠木４へ下ろしてくると新笠木３７のフランジ３７ｂが内部側の連結具２９の水平なフランジ上に着座する。また、連結材５０のフランジ５０ｄが外部側の連結具２９の水平なフランジ上に着座する。内部側及び外部側の連結具２９の夫々の水平なフランジを挿通して、小ねじ５７，５８を外部側においては、連結材５０のフランジ５０ｄにねじ込み、内部側においては、新笠木３７のフランジ３７ｂにねじ込む。
【０１１１】
新笠木３７が既存の笠木４を蔽って取り付けられると、リブ３７ｃは既存の笠木４の上部に接する。これによって、新笠木３７は見込方向の幅が広くなったけれども、手すり上面がたわむことが抑制される。
【０１１２】
ガラス板はグレージングビード３８，３９に弾力を持って挟持固定される。この際、グレージングビード３８を突条５０ｅに係止しておく。そして、ガラス板をガラス溝に挿入後にグレージングビード３９を係止条溝５０ｆに係止する。又は、先ず、ガラス板上縁にグレージングビード３８，３９を介して新笠木３７を保持してガラス板をブラケット３３，３４に支持させる工程の後半に新笠木３７を取り付けてもよい。
【０１１３】
実施例２によれば、手すり上部の外観がすぐれる。一体物である新笠木で手すり上部の各部材が直接又は間接に固定されるので、手すり上部が強固となる。新笠木３７をアルミ押出し型材とした場合、手すり上部の関係位置が正確に定まる。実施例１で用いた上ブラケット３３の省略が可能となる。
[実施例３]
【０１１４】
実施例３は本発明の手すり改修システムにおけるステップＳ６で格子部分のみ撤去すると決定した場合に行われる。その他の点は実施例１又は実施例２と同様である。格子部分のみ撤去の実施例３についてのべる。
【０１１５】
先ず、既存の手すりからの格子の完全撤去についてのべる。笠木４と格子受け３ａを締結してあるタッピングねじ１７を外す。
次に格子３の下桟３ｂの取り外しはブラケット１３と下桟３ｂを締結してある小ねじ１４を取り外す（図４、図５参照）。なお、格子受け３ａ、下桟３ｂの取り外しの順序は何れが先でも差支えはない。最後に格子３の下側を見込方向に移動して下桟３ｂがブラケット１３から外れる位置までもってくる。そして、格子３を引き下げると、格子受け３ａは笠木４の凹部４ｄから外れ、格子３は取り外せる。
【０１１６】
かくして笠木４、支柱２から外すと格子３を取り外せる。
【０１１７】
上述した格子の取り外しは、ねじ類を取り外す作業が主である締結の解除作業である。従って、騒音、粉塵の発生がない。また、取り外した格子はそのまま再利用又は再生可能である場合又は腐食等で用いられない場合もある。
【０１１８】
次に格子が腐食等によりもはや耐久性がない場合に有効な格子の他の除去方法についてのべる。用いるものは例えば電動カッタ等である。先ず手すり子３ｃと格子受け３ａの連結部を取り外す。この連結部は格子３が鉄製の場合は多くが格子受け３ａと手すり子３ｃ端部を突き合せて溶接してある。また、鉄製の格子の小数、アルミ製の格子の大部分は、格子受け３ａと手すり子３ｃは格子受け３ａに設けた穴に手すり子３ｃを嵌合して中空の手すり子３ｃ端部を拡大するかしめをして締結してある。
【０１１９】
従って、この部分から格子受け３ａと手すり子３ｃを分解はできない。そこで、既存の手すりを分解しないで、立設された状態のまま、電動カッタ等で格子受け３ａの下面に沿って手すり子３ｃを切断する。その後、下桟３ｂをブラッケト１３を介して支柱２に固定してある小ねじ１４を取り外す。なお、ブラケット１３の支柱２に固定しある側を支柱２側に残して、ブラケット１３を切断してもよい。その後は実施例１と同じ工法で新手すりを立設する。
【０１２０】
この実施例３によると図１３に示すように既存の格子はなく、くぐり抜け防止材３６が室内側より見える。
【０１２１】
この方法によれば、格子を撤去する作業時間が短い利点がある。そして、既存の格子が汚損していても刷新できる。また、既存の格子のデザインが陳腐化しても、斬新なデザインの格子に変更できる。
[実施例４]
【０１２２】
次に柱のみを残して施工する本発明の実施例４について説明する。既にフローチャートのステップＳ７で説明したように、既存の支柱２が耐久上から見て腐食、損傷により使用できない場合等に本発明の実施例４は適用される。
【０１２３】
特に既存の支柱２が耐久上から見て使用できない場合に従来であると支柱２を撤去していることである。既存の支柱２がコンクリートの外縁５に埋め込まれている場合、コンクリートブレーカで支柱２回りの外縁５のコンクリートを破碎して除去しなければならないことである。特に、高階のベランダではこの破碎片が建物外へ落下しないようにしなければならない。このため、足場を設けて天幕地でベランダを遮断したりするため、手すり改修工事では工事が大変であると共にコストもかかる。また、コンクリートブレーカによる外縁５の破碎は慎重に行わねばならない。外縁はベランダの強度メンバーの一部をなしていることもあり、大きく破碎してクラックをベランダに生じさせてはならないからである。コンクリートブレーカにより外縁５を破碎しないで多数の穴を支柱２の芯材回りにあけて芯材を取り外すこともできるが作業時間が多大にかかる。
【０１２４】
また、上記コンクリートブレーカによる作業は著しい騒音と粉塵の発生が生ずるため居住者がいる住居での作業には適しない。既存の支柱を切断する方法によれば著しい騒音と粉塵が発生する。
【０１２５】
また、カバー部材で既存の支柱を蔽う在来工法は既存の支柱が耐久的に充分でないが補強すれば使用可能である場合に有効であるがどの程度耐久性が向上するか不明である。そして、支柱が耐久的にもはや使用不可能である場合は採用できない。
【０１２６】
そこで実施例４では既存の支柱２を残して格子、笠木、笠木受け等を除去する。格子を除去する工法は先にのべた格子をそっくり取り外す工法（実施例３の前段の説明参照）によるのでここではその説明を省略する。
【０１２７】
図７を参照して、格子３を取り外した後は、笠木受け１５と笠木４を締結してある総てのタッピングねじ１８をねじ戻して外す。これによって笠木４を持ち上げると、笠木受け１５に嵌合している嵌合部４ａが笠木受け１５から外れる。そこで笠木４を取り除く。次に笠木受け１５を支柱２に締結してあるタッピングねじ９をねじ戻す。これによって笠木受け１５は支柱２から外される。残ったのは支柱２のみである。しかし、この支柱２は強度的に耐久性がないとされたものの躯体から取り外すとすれば、既にのべたように問題点が発生する。そこで、支柱２はそのままとしておく。
【０１２８】
図１４は実施例４の完成した手すりの見込み方向の縦断面図であって図１５のＡ−Ａ断面を示す。図１５は同手すりの水平断面図である。以下、外縁５上に既存の支柱２のみが残った後からの作業を工法順に説明する。
【０１２９】
既存の手すりが分解されて支柱２が外縁５上に立設された状態である。この場合、支柱２には格子３の下桟３ｂ両端を固定していたブラケット１３はそのままでもよく、除去してもよい（図１４、図１５はブラケット１３を除去した状態）。
【０１３０】
図１５に示すように、既存の支柱２，２の近くで、既存の支柱２，２を結ぶ直線上で外縁５上に新支柱４１，４１を立てる。新支柱４１，４１の立設方法は次のとおりである。新支柱４１，４１を立てる位置において外縁５上から芯材４２よりもやや大径の穴５ｅを外縁５にあける。この穴明けは例えば、コンクリート用のカッタ（コアドリル、ホルソー等）による。穴５ｅに芯材４２を挿入する。芯材４２はステンレス製の丸パイプである。芯材４２の長さは次にのべる支柱本材４３の内側に挿入して丁度嵌合するが嵌合する長さは支柱本材４３の長さよりも短い。本例では芯材４２の上端は下部ブラケット４４の上縁に達する程度である。芯材４２の断面は既存の支柱２を構成する中空パイプの芯材７と同形同寸法でもよく、又、他の形状寸法でもよい。芯材４２を穴５ｅに挿入する前又は挿入した後に芯材４２と穴５ｅ間の隙間に接着剤を充填する。接着材としては種々のものが用いられるが例えばエポキシボンド（商品名）が用いられる。接着剤の固化後に芯材４２の外周に支柱本材４３を挿入する。ここで、芯材４２、支柱本材４３は既存の支柱２の芯材、本材と同断面形の条材を用いてもよく、又他の断面の条材を用いてもよい。
【０１３１】
なお図１５に示す新支柱４１，４１の本材４３の断面は単純に中空方形の場合もあるが本例は既存の本材６と同断面のものを用いた。
【０１３２】
本材４３が芯材４２に嵌合された後に、本材４３に丸ベース（既存の丸ベース参照）８を挿入して外縁５上に着座させる。その後、本材４３と芯材４２を図示されないブラインドリベットで結合する。このリベットは本材４３の一辺中央の穴及び芯材４２の半径方向の穴に挿入施工される（既存の支柱２の本材６と芯材７をリベット結合するのと同様）。立設された新支柱４１，４１の頂面は既存の支柱２の頂面と同高さにある。
【０１３３】
次に新支柱４１，４１の上端から挿入して、新支柱４１，４１にブラケット４４を夫々取り付ける。ブラケット４４は根本部４４ａが新支柱４１の外周に嵌合する方形である。根本部４４ａからは外部側へ向って片持梁状に梁部４４ｂが突出している。梁部４４ｂの先端にはくぐり抜け防止材３６を支持する受け部４４ｃが立設してある。受け部４４ｃは壁面に沿う方向の条溝４４ｄを有するがこの条溝４４ｄは図１５に示すように板部４４ｅで分れている。この条溝４４ｄの下側の底は梁部４４ｂの先端である。板部４４ｅは板面が見込方向で新支柱４１の中心をとおる垂直面上に位置している。
【０１３４】
ブラケット４４は根本部４４ａを新支柱４１の外周に嵌合した後に、根本部４４ａ、新支柱４１の本材４３、芯材４２を貫通する通しボルトナット４５より新支柱４１に固定される。この通しボルトナット４５の方向は壁面に平行する方向であり、通しボルトを貫通する穴はブラケット４４、本材４３、芯材４２に予めあけておいてもよく、また現合でもよい。
【０１３５】
くぐり抜け防止材３６が耐水合板、アルミ板、耐火材等の場合には図１４（ａ）に示すように、ブラケット４４，４４の条溝４４ｄにくぐり抜け防止材３６の下縁３６ａの両端部を嵌合する。
【０１３６】
くぐり抜け防止材３６の上縁３６ｂは新笠木４８の下面に設けた図１４の紙面に直交する方向の条溝４８ｅの口部に嵌合する。
【０１３７】
くぐり抜け防止材３６がガラス板の場合は（１）ガラス板に縁取りを設ける。（２）ガラス板単体としてグレージングビードで取り付ける２つの方法が選択できる。
ガラス板に縁取りを設ける場合は、ガラスのくぐり抜け防止材３６の下縁に断面が溝形鋼の形状をした条材の溝が丁度嵌合するようにする。このような条材の縁取り部材はステンレス鋼製とする。この縁取り材は新笠木４８の条溝４８ｅの口部、ブラケット４４の条溝４４ｄの口部に丁度嵌合するようにする（図示されない）。
ガラス板単体としてグレージングビードで取り付ける場合はブラケット４４の先端を拡大して示す図１４（ｂ）のように条溝４４ｄを構成する部分に設けた突条４４ｆに係止したグレージングビート４６、条溝４４ｇに嵌め込んだグレージングビート４７により該ガラス板を挟持する。ガラス板は条溝４４ｄの底にガラスまくら４４ｈを介して着座させる。図１４（ｂ）に示す条溝４４ｄの紙面に直角方向（壁面に平行する方向）の長さはガラス板を支持できるだけの必要な長さとする。また、隣接する新支柱４１に夫々設けたブラケット４４間にわたって条溝４４ｄを設けてもよい。
【０１３８】
くぐり抜け防止材３６のガラス板の上縁がグレージングビードで支持される場合は、図１４（ｃ）に示される。
【０１３９】
新笠木４８にガラス板のくぐり抜け防止材３６を取り付ける場合には、新笠木４８の図１４（ａ）で示した条溝４８ｅ口部には対向して突条４８ｆ、条溝４８ｇが設けてある。突条４８ｆには図１４（ｂ）に示したグレージングビード４６と同断面のグレージングビード４６が嵌合している。条溝４８ｇには同じく図１４（ｂ）に示したグレージングビード４７が嵌合している。グレージングビード４６，４７でもってガラス板のくぐり抜け防止材３６の上縁を挟持している。
【０１４０】
くぐり抜け防止材３６は何れも、上縁を新笠木４８の外部側に下向きに開口する条溝４８ｅに挿入して持ち上げて下縁を条溝４４ｄに下して支持される。即ち、取り付けはけんどん式である。また、新笠木４８を新支柱４１に取り付ける際に、条溝４８ｅを予めブラケット４４で支持したくぐり抜け防止材３６の上縁３６ｂに嵌め込むように新笠木４８を降下させてもよい。
【０１４１】
新笠木４８は中空筒状のアルミ押出し型材製である。新笠木４８の新支柱４１への取り付け部は既存の支柱２への笠木４の取付部と同様である。ただし、既存の支柱２、新支柱４１が異なる断面の場合は、夫々の支柱へ新笠木４８を取り付けるための笠木受け１５の構成は一般に異なる。
【０１４２】
本例では既存の支柱２と新支柱４１が同一断面である。そこで新笠木４８を新支柱４１及び既存の支柱２に取り付ける場合は、既存の笠木受け１５と同断面のアルミ押出し型材の新笠木４９を用いる。図１６に示すように新笠木受け４９は断面が浅い溝形である。この新笠木受け４９は実施例１〜３で説明したものと同一である。新笠木受け４９の長さは新支柱４１の両側へ限定的に延出されている。新支柱４１と既存の支柱２が近接している場合新笠木受け４９は両支柱２，４１にわたるように設けてもよい。また、新笠木４８は新支柱４１、既存の支柱２上を連続してわたっているので、既存の支柱２上の既存の笠木受け１５はそのまま新笠木受けとして新支柱４１上の新笠木受け４９と併せて新笠木４８支持するようにしてもよい（図示されない）。更に、新笠木４８と同長の新笠木受け４９を各支柱２，４１に夫々わたらせて設け、夫々の支柱２，４１に固定してもよい。
【０１４３】
新笠木受け４９がタッピングねじ９でもって夫々新支柱４１、既存の支柱２の上端に固定された後に、新笠木４８の嵌合部４８ａ（既存の笠木４の嵌合部４ａに同じ）を既存の笠木受け１５、新笠木受け４９の両端上部の両側に嵌め込む。その後、各笠木受け１５，４９を貫通してタッピングねじ１８を新笠木４８にねじ込む。
【０１４４】
図１７は実施例４の改修工法により改修された改修手すりの内部側より見る正面図である。
【０１４５】
この実施例４によれば、既存の支柱は撤去しないため、既存の支柱取り外しに伴う、粉塵、騒音の発生、コンクリート片の落下防止対策工事等がなく、比較的撤去容易な格子、笠木等の取り外しだけで手すりを新しくできる。新手すりは見込方向幅が実施例１に比べて小さくてすむ。既存の支柱及び新支柱を笠木受けで連結した場合には、既存の支柱に耐久的に強度が残っている場合は新支柱、既存支柱を併せて手すり支持の強度剛性が向上する。また、既存の支柱が耐久的に強度が不足する場合は新支柱によって補強される。なお、既存の支柱と新笠木を連結しないでも改修手すりのセミカバー工法として採用できる。この場合、既存の支柱２は外縁５上に立設されたまま放置される。
【０１４６】
実施例４では新支柱を既存の支柱の近くに立てたが新支柱の位置は任意に選択できる。また、既存の支柱の補強を兼ねない場合は新支柱の位置は見込方向において既存の支柱を結ぶ線上とは異なる位置に設けてもよい。
[実施例５]
【０１４７】
本発明の工法は躯体の診断、手すりの診断を含みシステム化してある。このシステムにより上記実施例１から４及び実施例５もしくは実施例６又は在来工法の何れかが選択される。
【０１４８】
図１のフローチャ−トで示すようにステップＳ２−２においては既存の手すりの支柱が強度上もつが、支柱以外の改修は耐久的には必要がないがデザインの点で手すりを変えたい。又は、既存の手すりの支柱が強度上もつが支柱以外の格子、笠木等が耐久上から見て改修が必要な場合で本発明による改修を行なうことを選択する。そこで、ステップＳ２−３において、既存の手すりの完全無撤去による手すり改修でない手すり改修工法を選択した場合、又は、ステップＳ１−１において、手すり改修工法を選択した場合、新支柱を立てないで行う改修工法が本発明の実施例５である。
【０１４９】
在来工法では、（１）既存の支柱が板状柱の場合に板状柱を下地材を介して割形柱カバーで両側から包囲した改修工法（特開昭５７−８９０５３号公報参照）。（２）既存の支柱の両側から一対の支柱カバーを嵌め込み固定した改修工法（特開昭５８−１１３４５９号公報参照）。（３）既存の支柱の外側に固定補助支柱を被嵌した改修工法。この改修工法では固定補助支柱を補強する補強アームを設けている（特開昭５７−１７４５７４号公報）。（４）既存の支柱に左右一対の取付体を相向して添設し、既存の支柱を蔽う支柱本体を取付体の嵌合溝に嵌め込んで取付体を既存の支柱２に結付け固着してある（実開昭５８−１９１２３３号公報参照）。等がある。
【０１５０】
これらの在来工法は既存の支柱にカバー類をかぶせて新支柱としている。これらの従来例では既存の支柱に合せて、この支柱にかぶせるカバーを製作し、既存の支柱にかぶせるということを必須の構成としている。
【０１５１】
しかし、この既存の支柱が耐久的に強度が見込める場合又は既存の支柱を補強すれば耐久性を回復するという場合に支柱全体を蔽う工法はコストが高い。そこで、本発明の実施例５では既存の支柱が耐久的に強度が見込める場合にコストがかからず、且つ新たなデザインとなる手すりを提供可能ともするものである。
【０１５２】
既にのべたように、この実施例５では診断により、既存の支柱２は耐久的に強度が充分あると見込まれる場合の選択肢である。
【０１５３】
既にのべたように既存の手すり１から格子３、笠木４等を除去し、格子３を支持していたブラケット１３を既存の支柱２から除去する。この除去は既存の支柱２の外表面に突出物がないようにする。そのため、突出物があるときは例えばデイスクグラインダ等で削除する。
【０１５４】
かくして、実施の形態４と同様にして既存の支柱２に実施例４で説明したブラケット４４を取り付け、既存の支柱２のみとなった後は、取り外してある笠木受け１５を既存の支柱２に取り付ける。ブラケット４４によりくぐり抜け防止材３６であるパネル又はガラス板の下縁を支持して、パネル又はガラス板の上縁を実施例４で用いた新笠木４８で支持する。新笠木４８は上記笠木受け１５に嵌合固定する。これらの詳細な説明は実施例４のくぐり抜け防止材３６がパネル又はガラス板の場合についての説明を援用する。
【０１５５】
この実施例５によれば、格子、笠木等の何れもが腐食、機械的損傷等により耐久的に対策が必要と判断され且つ支柱のみは耐久的に強度が充分であると判断された場合において、既存の支柱に取り付けたブラケットと新笠木でパネル又はガラス板等の外装板材を支持するので、新たな手すりのデザインを自由に選択できる特性を持つ前述各実施例の利点を有すると共に使用される部材が少なく、部材のコストが安い。また、組立も簡単で組立費用も安い。
[実施例６]
【０１５６】
躯体の耐用年数がない場合は当然手すりの改修は不要となるが、躯体の耐用年数が著しく短いと認められても居住しなければならない場合において、ステップＳ１−１において、手すりの耐久性があるかが判断される。手すりの支柱が少なくとも耐久的にもつと判断されると実施例５又は６が採用される。実施例６は実施例５と同様のステップにおいても採用される。
【０１５７】
この実施例６は既存の支柱２のみとし、この支柱２の下部にブラケット４４を設ける工程までは実施例５と同様である。この実施例６では図１８に示すように手すりの下部でブラケット４４を支柱２に取り付けた後は上部ブラケット５３を支柱２の上部に設ける。
【０１５８】
上部ブラケット５３は図１９に示すような水平断面である。図１９において、上部ブラケット５３は根本部５３ａが略図で示す支柱２の外周に嵌合する方形である。根本部５３ａが支柱２に嵌合された後に根本部５３ａ、支柱２を横方向にボルトナット５４を貫通し締め込んで上部ブラケット５３は、支柱２に固定される。上部ブラケット５３の根本部５３ａからは外方へ向って片持梁状に梁部５３ｂが突出している。梁部５３ｂの先端には、くぐり抜け防止材３６を支持する受け部５３ｃが設けてある。受け部５３ｃには上下方向の条溝５３ｄを有する。この条溝５３ｄにくぐり抜け防止材３６の左右の両側の縁が嵌合できる。条溝５３ｄは隔板５３ｅで左右に隔てられている。下部ブラケット４４は既にのべたとおり、くぐり抜け防止材３６の下縁を支持する底部が設けてある。
【０１５９】
支柱２に下部ブラケット４４を取り付けた後に上部ブラケット５３を支柱２に取り付ける。支柱２への上部ブラケット５３の取り付けは、くぐり抜け防止材３６側縁を条溝５３ｄに嵌め込み、くぐり抜け防止材３６の下縁両側を下部ブラケット４４の条溝４４ｄに嵌め込む。なお、上部ブラケット５３よりも上方において支柱２とくぐり抜け防止材３６間に実施例1と同様に図示されないくさびを挿入する。
【０１６０】
上記においてくぐり抜け防止材３６がガラスの場合において、図１８（ａ）には図示されないがブラケット４４で支持するときは、ガラスの四周の縁は破損防止のために溝形鋼形の金属条材等でカバーする。くぐり抜け防止材３６がガラスの場合は図１８（ｂ）のようにしてもよい（詳細は実施例４の図１４（ｂ）の説明を参照）。
【０１６１】
本例では既存の支柱２に取り外してある笠木受け１５を固定した後に、この笠木受け１５に取り外してある笠木４を取り付ける。これによって、既存の笠木４が復元される。
【０１６２】
この実施例６によれば、既存の支柱が耐久的に強度が見込まれる場合において、既存の支柱に下部ブラケットを取り付けてくぐり抜け防止材３６の下部を支持し、くぐり抜け防止材の上部を上部ブラケットで支持するだけであるから、新たな格子を簡単に更新できる。くぐり抜け防止材３６と、ブラケット４４，５３が必要なだけでコストが安い特徴がある。
[実施例７]
【０１６３】
実施例６において上部ブラケット５３（符号５３Ａとする）、下部ブラケット４４（符号４４Ａとする）を見込方向の垂直面で二つ割りとして、根本部で支柱２を抱き合せてボルトナット５５により締結すると、既存の手すりの分解は一切なく、新手すりに改修される。これは、図１のステップＳ２−３において既存の手すりの完全無撤去による工法である。図２０は実施例７の上部ブラケット５３Ａ、下部ブラケット４４Ａの水平断面である。図において見込方向の垂直な合せ面ＳＬで分割され、ボルトナット５９で分割された各片を結合してある。その他はブラケット５３、４４と夫々同様である。
【０１６４】
上述では笠木は既存の笠木４を用いた構成である。
【０１６５】
また、ガラス板を実施例５で説明したと同様に新笠木４８で支持してもよい。
【０１６６】
この実施例７によれば、既存の支柱が耐久的に強度が見込まれる場合において、既存の支柱に下部ブラケットを取り付けてくぐり抜け防止材３６の下部を支持し、くぐり抜け防止材３６の上部を上部ブラケット又は新笠木で支持するだけであるから、格子を外さなくてもよい。又は更に、既存の笠木、格子に手を付けることなくして手すりを改修もできるので、工事期間が最小で、笠木、格子に手を加えない工事によれば、発生する廃棄物は生じなくすることも可能である。
【０１６７】
実施例はくぐり抜け防止材を既存の支柱よりも外部側（室内より見て）に設けたが内部側（同）に設けてもよい。
【０１６８】
各実施例において、新設するくぐり抜け防止材は見込方向において既存の支柱よりも外部側に配設したが、既存の支柱よりも室内側になるようにしてもよい。
【図面の簡単な説明】
【０１６９】
【図１】本発明の手すり改修システムのフローチャートである。
【図２】図１につづくフローチャートである。
【図３】既存の手すりの内部側より見る正面図である。
【図４】既存のてすりの見込方向の面で切る縦断面図である。
【図５】図４の水平断面図である。
【図６】手すりの壁側端部を示し内部側より見る正面図である。
【図７】手すり上部の見込方向の面で切る縦断面図である。
【図８】本発明の実施例１の見込方向の面で切る縦断面図である。
【図９】図８の水平断面図である。
【図１０】図９の一部拡大図である。
【図１１】実施例１の改修工法により完成した手すりの内部側より見る正面図である。
【図１２】実施例２の手すりの上部を示し、見込方向の面で切る縦断面図である。
【図１３】実施例３の改修工法により完成した手すりの内部側より見る正面図である。
【図１４】（ａ）は実施例４の見込方向の面で切る縦断面図であって図１５のＡ−Ａ断面図、（ｂ）はガラス板の下部の支持を示す縦断面図、（ｃ）はガラス板の上部の支持を示す縦断面図である。
【図１５】図１４（ａ）の水平断面図である。
【図１６】図１４（ａ）の上部の拡大図である。
【図１７】実施例４の改修工法により完成した手すりの内部側より見る正面図である。
【図１８】（ａ）は実施例６の見込方向の面で切る縦断面図、（ｂ）はガラス板の下部の支持を示す縦断面図である。
【図１９】図１８（ａ）の一部拡大水平断面図である。
【図２０】実施例７のブラケットを示す水平断面図である。
【符号の説明】
【０１７０】
１…手すり
２…支柱  ２ｂ…辺
３…格子  ３ａ…格子受け  ３ａ−１…両縁上面  ３ｂ…下桟  ３ｃ…手すり子  ３ｃ−１…タッピング穴
４…笠木（既存）  ４Ａ…エンドキャップ  ４ａ…嵌合部  ４ｂ…側板部  ４ｃ…下部材  ４ｄ…凹部  ４ｅ…角円部  ４ｆ…ブラインドリベット  
５…外縁  ５ａ…上面  ５ｂ…躯体立面部  ５ｅ…穴  ５ｆ…穴
６…本材  ６ａ…タッピング穴  ６ｂ…本材の各辺  ６ｃ…突条
７…芯材
８…丸ベース
９…タッピングねじ
１１…ブラインドリベット
１２…ブラインドリベット
１３…ブラケット
１４…小ねじ
１５…笠木受け  １５ａ…上面
１６…タッピングねじ
１７…タッピングねじ
１８…タッピングねじ
１９…ブラケット
２１…ボルト
２２…ポップナット
２３…アンカー
２４…ベース  ２４ａ…フランジ  ２４ｂ…ボルト穴
２５…アンカー
２６…芯材
２７…新支柱
２８…新支柱
２９…連結具
３０…小ねじ
３１…柱連結部材
３２…ねじ部材
３３…上ブラケット  ３３ａ…溝形部  ３３ｂ…ステ−部  ３３ｃ…フランジ    ３３ｅ…フランジ  
３４…下ブラケット  ３４ａ…溝形部  ３４ｂ…ステ−部  ３４ｃ…フランジ  ３４ｄ…底部  ３４ｅ…リブ  
３５…通しボルトナット  ３５ａ…ボルト  ３５ｂ…円筒部  ３５ｃ…おねじ  ３５ｄ…ナット  
３６…くぐり抜け防止材  ３６ａ…下縁  ３６ｂ…上縁  ３６ｃ…側縁  
３７…新笠木  ３７ａ…外部材  ３７ａ−１，３７ａ−２…側板  ３７ａ−３…大円弧部  ３７ａ−４…円弧部  ３７ｂ…フランジ  ３７ｃ…リブ  ３７ｄ…リブ  
３８…グレージングビード
３９…グレージングビード
４０…ねじ部材
４１…新支柱
４２…芯材
４３…本材
４４…ブラケット  ４４Ａ…下部ブラケット  ４４ａ…根本部  ４４ｂ…梁部  ４４ｃ…受け部  ４４ｄ…条溝  ４４ｅ…板部  ４４ｆ…突条  ４４ｇ…条溝  ４４ｈ…ガラスまくら
４５…通しボルトナット
４６…グレージングビード
４７…グレージングビード
４８…新笠木  ４８ａ…嵌合部  ４８ｂ…条溝  ４８ｃ…突条  ４８ｄ…条溝  ４８ｅ…条溝  ４８ｆ…突条  ４８ｇ…条溝
４９…新笠木受け
５０…連結材  ５０ａ…溝形材部  ５０ｂ…突条  ５０ｃ…係止条溝  ５０ｄ…フランジ  ５０ｅ…突条  ５０ｆ…係止条溝
５１…グレージングビード
５２…グレージングビード
５３…上部ブラケット  ５３Ａ…上部ブラケット  ５３ａ…根本部  ５３ｂ…梁部  ５３ｃ…受け部  ５３ｄ…条溝  ５３ｅ…隔板
５４…ボルトナット
５５…ボルトナット
５６…ブラインドねじ
５７…小ねじ
５８…小ねじ
５９…ボルトナット
Ｓ１，Ｓ２，Ｓ３，Ｓ４，Ｓ５，Ｓ６，Ｓ７…ステップ
Ｓ１−１，Ｓ２−１，Ｓ２−２，Ｓ２−３…ステップ
【図１】
2007138651.tif 000003
【図２】
2007138651.tif 000004
【図３】
2007138651.tif 000005
【図４】
2007138651.tif 000006
【図５】
2007138651.tif 000007
【図６】
2007138651.tif 000008
【図７】
2007138651.tif 000009
【図８】
2007138651.tif 000010
【図９】
2007138651.tif 000011
【図１０】
2007138651.tif 000012
【図１１】
2007138651.tif 000013
【図１２】
2007138651.tif 000014
【図１３】
2007138651.tif 000015
【図１４】
2007138651.tif 000016
【図１５】
2007138651.tif 000017
【図１６】
2007138651.tif 000018
【図１７】
2007138651.tif 000019
【図１８】
2007138651.tif 000020
【図１９】
2007138651.tif 000021
【図２０】
2007138651.tif 000022